(57)【要約】【課題】  表示パネルの任意の方向における視角依存性を改善することができるマトリックス型表示装置を提供する。【解決手段】  視角適応γ補正回路３は、ユーザの視角に対応付けられた複数のγ特性を有し、視角適応制御回路２は、液晶パネル６に対するユーザの視角を特定するための視角情報と、映像信号ＩＳの液晶パネル６の表示位置とに応じて視角適応γ補正回路３のγ特性を変化させて映像信号ＩＳに対するγ変換処理を行わせる。【選択図】      図１
2005092075.tif 000002
【特許請求の範囲】
【請求項１】
マトリックス状に配置された複数の画素を駆動して画像を表示するマトリックス型表示装置であって、
所定の視角特性を有する表示パネルと、
前記表示パネルに対するユーザの視角に適する視角特性を前記表示パネルが有するように、入力される映像信号の前記表示パネル上の表示位置に応じてγ特性を変化させて当該映像信号に対するγ補正処理を行う補正手段と、
前記補正手段によりγ補正処理された映像信号を用いて前記表示パネルを駆動する駆動手段とを備えることを特徴とするマトリックス型表示装置。
【請求項２】
前記補正手段は、
前記表示パネルに対するユーザの視角に対応付けられた複数のγ特性を有するγ補正手段と、
前記表示パネルに対するユーザの視角を特定するための視角情報と、前記映像信号の前記表示パネル上の表示位置とに応じて前記γ補正手段のγ特性を変化させるγ制御手段とを含むことを特徴とする請求項１記載のマトリックス型表示装置。
【請求項３】
前記γ補正手段は、前記表示パネルの水平方向におけるユーザの視角に対応付けられた複数のγ特性を有し、
前記γ制御手段は、前記表示パネルに対するユーザの水平方向の視角を特定するための水平視角情報と、前記表示パネルの水平方向における前記映像信号の水平表示位置とに応じて前記γ補正手段のγ特性を変化させることを特徴とする請求項２記載のマトリックス型表示装置。
【請求項４】
前記γ補正手段は、前記表示パネルの垂直方向におけるユーザの視角に対応付けられた複数のγ特性を有し、
前記γ制御手段は、前記表示パネルに対するユーザの垂直方向の視角を特定するための垂直視角情報と、前記表示パネルの垂直方向における前記映像信号の垂直表示位置とに応じて前記γ補正手段のγ特性を変化させることを特徴とする請求項２記載のマトリックス型表示装置。
【請求項５】
前記γ制御手段は、前記表示パネルに対するユーザの水平方向の視角を特定するための水平視角情報と、前記表示パネルの水平方向における前記映像信号の水平表示位置と、前記表示パネルに対するユーザの垂直方向の視角を特定するための垂直視角情報と、前記表示パネルの垂直方向における前記映像信号の垂直表示位置とに応じて前記γ補正手段のγ特性を変化させることを特徴とする請求項２記載のマトリックス型表示装置。
【請求項６】
前記複数のγ特性の各々は、互いに異なる第１及び第２γ特性を含み、前記第１及び第２γ特性は、当該第１及び第２γ特性が合成された場合に、対応付けられている視角に対する前記表示パネルの視野角を拡大するγ特性を有し、
前記γ制御手段は、前記視角情報と前記表示位置とに応じて前記γ補正手段のγ特性を変化させるときに、前記第１及び第２γ特性を切り替えて前記第１及び第２γ特性を合成することを特徴とする請求項２〜５のいずれかに記載のマトリックス型表示装置。
【請求項７】
前記表示パネルは、第１表示領域と、前記第１表示領域と異なる第２表示領域とを有し、
前記γ制御手段は、前記第１表示領域に対するユーザの視角を特定するための第１視角情報と、前記映像信号の前記第１表示領域上の表示位置とに応じて前記第１表示領域に表示される映像信号に対する前記γ補正手段のγ特性を変化させるとともに、前記第２表示領域に対するユーザの視角を特定するための第２視角情報と、前記映像信号の前記第２表示領域上の表示位置とに応じて前記第２表示領域に表示される映像信号に対する前記γ補正手段のγ特性を変化させることを特徴とする請求項２〜６のいずれかに記載のマトリックス型表示装置。
【請求項８】
前記表示パネルは、液晶表示パネルであることを特徴とする請求項１〜７のいずれかに記載のマトリックス型表示装置。
【請求項９】
所定の視角特性を有する表示パネルを備え、マトリックス状に配置された複数の画素を駆動して画像を表示するマトリックス型表示装置の駆動方法であって、
前記表示パネルに対するユーザの視角に適する視角特性を前記表示パネルが有するように、入力される映像信号の前記表示パネル上の表示位置に応じてγ特性を変化させて当該映像信号に対するγ補正処理を行うステップと、
前記γ補正処理された映像信号を用いて前記表示パネルを駆動するステップとを含むことを特徴とするマトリックス型表示装置の駆動方法。
【発明の詳細な説明】
【技術分野】
【０００１】
本発明は、マトリックス状に配置された複数の画素を駆動して画像を表示するマトリックス型表示装置及びその駆動方法に関するものである。
【背景技術】
【０００２】
ＴＮ（Twisted Nematic）方式を用いた液晶表示装置では、液晶が屈折率異方性や捻じり配向等を有するため、液晶層を通過する光がその方向や角度によって種々の複屈折効果を受け、複雑な視角依存性が現れる。例えば、上方向視角では画面全体が白っぽくなり、下方向視角では画面全体が暗くなり且つ画像の低輝度部で明暗が反転してしまうという現象が発生する。このような視角特性に対して、輝度、色相、コントラスト特性、階調特性等について広視野角化する技術が種々開発されている。
【０００３】
例えば、画素毎に視角依存性を有するドットマトリックス型の表示パネルを用いた液晶表示装置において、１水平走査期間毎に映像信号のクランプ電圧を変化させることにより、表示パネルの垂直方向の視角依存性を補正するものがある（例えば、特許文献１参照）。
【特許文献１】特開平１１−１８４４３８号公報（第４−８頁、図３）
【発明の開示】
【発明が解決しようとする課題】
【０００４】
上記の液晶表示装置では、１水平走査期間毎に所定電圧だけ増加するクランプ電圧を用いて映像信号の電圧をクランプしているため、垂直方向の視角依存性を改善することはできるが、垂直方向以外の任意の方向、特に、水平方向の視角依存性を改善することはできない。
【０００５】
本発明の目的は、表示パネルの任意の方向における視角依存性を改善することができるマトリックス型表示装置及びその駆動方法を提供することである。
【課題を解決するための手段】
【０００６】
本発明に係るマトリックス型表示装置は、マトリックス状に配置された複数の画素を駆動して画像を表示するマトリックス型表示装置であって、所定の視角特性を有する表示パネルと、表示パネルに対するユーザの視角に適する視角特性を表示パネルが有するように、入力される映像信号の表示パネル上の表示位置に応じてγ特性を変化させて当該映像信号に対するγ補正処理を行う補正手段と、補正手段によりγ補正処理された映像信号を用いて表示パネルを駆動する駆動手段とを備えるものである。
【０００７】
本発明に係るマトリックス型表示装置においては、表示パネルに対するユーザの視角に適する視角特性を表示パネルが有するように、入力される映像信号の表示パネル上の表示位置に応じてγ特性を変化させて当該映像信号に対するγ補正処理が行われ、γ補正処理された映像信号を用いて表示パネルが駆動されるので、表示パネル上の任意の画素位置に対する視角に適した視角特性により画像を表示することができ、表示パネル内の任意の方向における視角依存性を改善することができる。
【０００８】
補正手段は、ユーザの視角に対応付けられた複数のγ特性を有するγ補正手段と、表示パネルに対するユーザの視角を特定するための視角情報と、映像信号の表示パネル上の表示位置とに応じてγ補正手段のγ特性を変化させるγ制御手段とを含むことが好ましい。
【０００９】
この場合、表示パネルに対するユーザの視角を特定するための視角情報からこの視角に対応付けられたγ特性を特定し、特定したγ特性を映像信号の表示パネル上の表示位置に応じて補正することができるので、表示パネル内の任意の方向における視角依存性を改善することができる。
【００１０】
γ補正手段は、表示パネルの水平方向におけるユーザの視角に対応付けられた複数のγ特性を有し、γ制御手段は、表示パネルに対するユーザの水平方向の視角を特定するための水平視角情報と、表示パネルの水平方向における映像信号の水平表示位置とに応じてγ補正手段のγ特性を変化させることが好ましい。
【００１１】
この場合、表示パネルに対するユーザの水平方向の視角を特定するための水平視角情報と、表示パネルの水平方向における映像信号の水平表示位置とに応じてγ特性を変化させているので、表示パネルの水平方向におけるユーザの視角に適した映像信号を用いて画像を表示することができ、表示パネル内において水平方向の視角依存性を改善することができる。
【００１２】
γ補正手段は、表示パネルの垂直方向におけるユーザの視角に対応付けられた複数のγ特性を有し、γ制御手段は、表示パネルに対するユーザの垂直方向の視角を特定するための垂直視角情報と、表示パネルの垂直方向における映像信号の垂直表示位置とに応じてγ補正手段のγ特性を変化させることが好ましい。
【００１３】
この場合、表示パネルに対するユーザの垂直方向の視角を特定するための垂直視角情報と、表示パネルの垂直方向における映像信号の垂直表示位置とに応じてγ特性を変化させているので、表示パネルの垂直方向におけるユーザの視角に適した映像信号を用いて画像を表示することができ、表示パネル内において垂直方向の視角依存性を改善することができる。
【００１４】
γ制御手段は、表示パネルに対するユーザの水平方向の視角を特定するための水平視角情報と、表示パネルの水平方向における映像信号の水平表示位置と、表示パネルに対するユーザの垂直方向の視角を特定するための垂直視角情報と、表示パネルの垂直方向における映像信号の垂直表示位置とに応じてγ補正手段のγ特性を変化させることが好ましい。
【００１５】
この場合、表示パネルに対するユーザの水平方向の視角を特定するための水平視角情報と、表示パネルに対するユーザの垂直方向の視角を特定するための垂直視角情報とにより、表示パネルに対するユーザの三次元空間内の視角を特定することができるとともに、表示パネルの水平方向における映像信号の水平表示位置と、表示パネルに対するユーザの垂直方向の視角を特定するための垂直視角情報とにより表示パネルの表示画面上における映像信号の二次元的な表示位置を特定することができる。この結果、γ特性を三次元的にパラボラ状に変化させることができ、水平方向におけるユーザの視角のみならず、斜め方向におけるユーザの視角にも適した映像信号を用いて画像を表示することができ、表示パネル内において二次元的に視角依存性を改善することができる。
【００１６】
複数のγ特性の各々は、互いに異なる第１及び第２γ特性を含み、第１及び第２γ特性は、当該第１及び第２γ特性が合成された場合に、対応付けられている視野角に対する表示パネルの視角を拡大するγ特性を有し、γ制御手段は、視角情報と表示位置とに応じてγ補正手段のγ特性を変化させるときに、第１及び第２γ特性を切り替えて第１及び第２γ特性を合成することが好ましい。
【００１７】
この場合、第１及び第２γ特性を切り替えることにより第１及び第２γ特性が合成され、第１及び第２γ特性が対応付けられている視角に対する表示パネルの視野角を拡大することができるので、表示パネル上の任意の画素位置に対する視角に適した視角特性で且つより拡大された視野角で画像を表示することができ、表示パネル内の任意の方向における視角依存性及び視野角特性を改善することができる。
【００１８】
表示パネルは、第１表示領域と、第１表示領域と異なる第２表示領域とを有し、γ制御手段は、第１表示領域に対するユーザの視角を特定するための第１視角情報と、映像信号の第１表示領域上の表示位置とに応じて第１表示領域に表示される映像信号に対するγ補正手段のγ特性を変化させるとともに、第２表示領域に対するユーザの視角を特定するための第２視角情報と、映像信号の第２表示領域上の表示位置とに応じて第２表示領域に表示される映像信号に対するγ補正手段のγ特性を変化させることが好ましい。
【００１９】
この場合、第１表示領域に対するユーザの視角を特定するための第１視角情報と、第１表示領域上の映像信号の表示位置とに応じて第１表示領域に表示される映像信号に対する特性を変化させるとともに、第２表示領域に対するユーザの視角を特定するための第２視角情報と、第２表示領域上の映像信号の表示位置とに応じて第２表示領域に表示される映像信号に対するγ特性を変化させているので、表示領域毎にユーザの視角に適した視角特性で画像を表示することができる。
【００２０】
表示パネルは、液晶表示パネルであることが好ましい。この場合、視角依存性の大きい液晶表示パネル内の任意の方向における視角依存性を改善することができる。
【００２１】
本発明に係るマトリックス型表示装置の駆動方法は、所定の視角特性を有する表示パネルを備え、マトリックス状に配置された複数の画素を駆動して画像を表示するマトリックス型表示装置の駆動方法であって、表示パネルに対するユーザの視角に適する視角特性を表示パネルが有するように、入力される映像信号の表示パネル上の表示位置に応じてγ特性を変化させて当該映像信号に対するγ補正処理を行うステップと、γ補正処理された映像信号を用いて表示パネルを駆動するステップとを含むものである。
【発明の効果】
【００２２】
本発明によれば、表示パネルに対するユーザの視角に適する視角特性を表示パネルが有するように、入力される映像信号の表示パネル上の表示位置に応じてγ特性を変化させて当該映像信号に対するγ補正処理が行われ、γ補正処理された映像信号を用いて表示パネルが駆動されるので、表示パネル上の任意の画素位置に対する視角に適した視角特性により画像を表示することができ、表示パネル内の任意の方向における視角依存性を改善することができる。
【発明を実施するための最良の形態】
【００２３】
以下、本発明に係るマトリックス型表示装置について図面を参照しながら説明する。以下の各実施形態では、マトリックス型表示装置の一例として液晶表示装置を例に説明するが、本発明が適用されるマトリックス型表示装置はこの例に特に限定されず、視角特性を有するものであれば、有機ＥＬ（エレクトロルミネッセンス）表示装置等の他のマトリックス型表示装置にも同様に適用可能である。
【００２４】
図１は、本発明の第１実施形態による液晶表示装置の構成を示すブロック図である。図１の液晶表示装置は、水平画素カウンタ１、視角適応制御回路２、視角適応γ補正回路３、γ変換回路４、駆動回路５及び液晶パネル６を備える。
【００２５】
視角適応γ補正回路３にはＲ、Ｇ、Ｂの各色成分に分離された映像信号ＩＳが入力され、視角適応制御回路２には液晶パネル６の中心に位置する画素に対するユーザの水平方向の視角を表す水平視角情報ＡＨが入力され、水平画素カウンタ１には映像信号ＩＳの水平同期信号ＨＳが入力される。例えば、映像信号ＩＳ及び水平同期信号ＨＳは、所定の映像出力回路（図示省略）等から入力され、水平視角情報ＡＨは、ユーザが操作するリモートコントローラ（図示省略）等から入力される。
【００２６】
なお、本実施形態では、ユーザが所定の操作を行うことにより所望の水平方向の視角を入力しているが、予め好ましい視角が想定される場合は当該視角を所定のメモリ等に記憶させて読み出すようにしてもよく、また、ユーザによるリモートコントローラの操作によりユーザの水平方向の視角を自動的に計測可能な場合は、自動計測された水平方向の視角を入力するようにしてもよい。
【００２７】
水平画素カウンタ１は、水平同期信号ＨＳを基準に液晶パネル６の水平方向（表示画面の左右方向）における映像信号ＩＳの画素位置を特定し、この画素位置を表す水平位置情報ＨＰを視角適応制御回路２へ出力する。
【００２８】
視角適応制御回路２は、水平視角情報ＡＨ及び水平位置情報ＨＰを基に、視角適応γ補正回路３のγ特性を映像信号ＩＳの液晶パネル６上の表示位置に対するユーザの水平方向の視角に最適なγ特性に補正するためのγ制御情報ＧＤを視角適応γ補正回路３へ出力する。
【００２９】
図２は、液晶パネルの表示位置によるユーザの視角変化を説明するための模式図である。図２の（ａ）に示すように、ユーザＶＰが液晶パネル６の中心から左側に位置する左視角の場合、液晶パネル６の中心に位置する画素に対する視角をαＬＭとすると、液晶パネル６の左端に位置する画素に対する視角αＬＬはαＬＭより小さくなり、液晶パネル６の右端に位置する画素に対する視角αＬＲはαＬＭより大きくなる。一方、図２の（ｂ）に示すように、ユーザＶＰが液晶パネル６の中心から右側に位置する右視角の場合、液晶パネル６の中心に位置する画素に対する視角をαＲＭとすると、液晶パネル６の左端に位置する画素に対する視角αＲＬはαＲＭより大きくなり、液晶パネル６の右端に位置する画素に対する視角αＲＲはαＲＭより小さくなる。このように、液晶パネル６に対する視角は、液晶パネル６の画素位置により変化し、液晶パネル６の水平方向の幅が大きいほどその変化が顕著となる。
【００３０】
このため、視角適応制御回路２には、液晶パネル６の中心に位置する画素に対する水平方向における各視角に対応付けてγ特性情報がテーブル形式で予め記憶されるとともに、液晶パネル６の中心に位置する画素に対する各視角及び液晶パネル６の水平方向における各表示位置に対応付けてγ値情報がテーブル形式で予め記憶されている。
【００３１】
ここで、γ特性情報は、ユーザの液晶パネル６の中心位置に対する視角に最適な補正用γ特性を決定するための情報であり、水平視角情報ＡＨから生成され、例えば、γ特性自体、予め記憶されている複数のγ特性の中から所定のγ特性を識別するための識別情報等が該当する。また、γ値情報は、特定された補正用γ特性を映像信号ＩＳの液晶パネル６上の各表示位置に最適なγ特性に補正する補正用γ値を特定するための情報であり、水平視角情報ＡＨ及び水平位置情報ＨＰから生成され、例えば、γ値自体、予め記憶されている複数のγ値の中から所定のγ値を識別するための識別情報等が該当する。本実施の形態では、γ特性情報及びγ値情報からγ制御情報ＧＤが構成される。
【００３２】
視角適応制御回路２は、水平視角情報ＡＨを基に、ユーザの液晶パネル６の中心位置に対する視角に最適な補正用γ特性を特定するためのγ特性情報をγ制御情報ＧＤとして視角適応γ補正回路３へ出力するとともに、水平視角情報ＡＨ及び水平位置情報ＨＰを基に、特定された補正用γ特性を映像信号ＩＳの液晶パネル６上の各表示位置に最適なγ特性に補正する補正用γ値を特定するためのγ値情報をγ制御情報ＧＤとして視角適応γ補正回路３へ出力する。
【００３３】
ここで、本実施形態では、映像信号ＩＳの肌色を基準に各視角に最適な補正用γ特性及び補正用γ値を予め決定している。肌色を基準にするのは、肌色は人間が視覚的に最も敏感な色であり、肌色に関する視角特性が最も視認されやすいためである。また、液晶パネル６上の表示位置に対するユーザの視角を正確に求めるためには、液晶パネル６の水平方向の幅及び液晶パネル６の中心位置からユーザまでの距離が必要となるが、本実施形態では、装置の構成を簡略化するために、液晶パネル６の中心位置からユーザまでの距離を装置の使用状態等から設定した一定値を規定し、視覚実験等から予め求めたγ特性情報及びγ値情報を用いている。このため、実際の視角に最適なγ特性情報及びγ値情報とならない場合もあるが、この場合、ユーザがリモートコントローラ等を用いて視角方向情報を微調整することにより最適なγ特性情報及びγ値情報すなわち最適なγ特性を選択可能にしている。
【００３４】
なお、視角適応制御回路の構成は、上記の例に特に限定されず、種々の変更が可能であり、例えば、液晶パネル６の中心位置からユーザまでの距離を表す距離情報を取得可能に構成し、視角情報、表示位置情報及び距離情報から表示位置に対する正確な視角を算出し、最適なγ特性に補正するためのγ特定情報及びγ値情報を出力するようにしてもよい。
【００３５】
視角適応γ補正回路３は、γ特性情報に応じて補正用γ特性を決定し、この補正用γ特性をγ値情報に応じて補正し、補正後のγ特性を用いて映像信号ＩＳに対するγ補正処理を実行し、γ補正された映像信号をγ変換回路４へ出力する。視角適応γ補正回路３において補正用γ特性を求める方式としては、種々の方式を用いることができ、例えば、複数のパラメータを用いてγ特性を求める演算方式を用いたり、複数のγ特性を予め記憶するＲＯＭテーブル方式を用いてもよい。また、演算方式とＲＯＭテーブル方式とを組み合わせてもよく、この場合、γ特性の部分的な曲線化を行うことができ、演算方式による直線近似のみを用いる場合に比して、より高精度な補正を行うことができる。
【００３６】
なお、液晶表示装置では、カラーフィルタやバックライト等の特性からＲＧＢ信号間でγ特性が全階調においては一致しておらず、色シフト特性を有しているため、色相変化等の発生を抑えて視角制御を行うために、ＲＧＢ信号毎に視角適応γ補正回路を設けるようにしてもよい。
【００３７】
γ変換回路４は、γ補正された映像信号に対して通常の画質調整を行うためのγ変換処理を実行し、γ変換された映像信号を駆動回路５へ出力する。なお、γ変換回路４のγ変換処理も、上記のγ補正処理と同様に種々の方式を用いることができる。また、視角適応γ補正回路３及びγ変換回路４を一つのγ変換回路により構成してもよい。
【００３８】
駆動回路５は、極性反転回路、ゲート駆動回路及びソース駆動回路等から構成され、γ変換された映像信号を用いてソース駆動回路により液晶パネル６を駆動し、映像信号ＩＳにより表される画像を液晶パネル６に表示する。液晶パネル６は、左右方向に対して視角依存性が大きくなるようにラビングにより配向制御されたＴＮ液晶パネルである。
【００３９】
本実施形態では、液晶パネル６が表示パネルの一例に相当し、水平画素カウンタ１、視角適応制御回路２及び視角適応γ補正回路３が補正手段の一例に相当し、駆動回路５が駆動手段の一例に相当し、視角適応γ補正回路３がγ補正手段の一例に相当し、視角適応制御回路２がγ制御手段の一例に相当する。
【００４０】
次に、視角適応γ補正回路３におけるγ補正処理についてさらに詳細に説明する。図３は、図１に示す液晶パネルの各視角方向におけるＶＴ特性の一例を示す特性図である。図３の縦軸は透過率（％）であり、横軸は液晶パネル６に印加される電圧（Ｖ）である。液晶パネル６が左右方向に対して視角依存性が大きくなるよう配向制御されている場合、図３に示すように、ユーザの視角が０°（正面）の場合のＶＴ特性はＶＴ１となり、ユーザの視角が右３０°の場合のＶＴ特性はＶＴ２となり、ユーザの視角が左３０°の場合のＶＴ特性はＶＴ３となり、液晶セルの印加電圧に対する透過率特性を表すＶＴ特性が、視角の移動に応じてほぼ平行にシフトする。
【００４１】
図４は、図１に示す液晶パネルにおいて視角が変化した場合におけるγ特性の変化例を説明するための特性図である。図３に示す特性を有する液晶パネル６を用いた場合、図４に示すように、ユーザの視角が０°（正面）の場合のγ特性をγｆとすると、ユーザの視角が右１５°の場合のγ特性はγＲ１となり、ユーザの視角が右３０°の場合のγ特性はγＲ２となり、右視角の場合、視角が大きくなるほどγ値が大きくなる。一方、ユーザの視角が左１５°の場合のγ特性はγＬ１となり、ユーザの視角が左３０°の場合のγ特性はγＬ２となり、左視角の場合、視角が大きくなるほどγ値が小さくなる。
【００４２】
図５は、図１に示す視角適応γ補正回路におけるユーザの視角変化に対するγ特性の補正例を説明するための特性図である。図５に示すγ特性は、視角適応γ補正回路３の入出力特性を示しており、ユーザの視角が０°（正面）の場合を基準γ特性とし、この基準γ特性をγＲとする。ここで、右視角の場合、ユーザの視角が右１５°の場合の補正用γ特性をＣＲ１とし、この補正用γ特性ＣＲ１により図４に示すγ特性γＲ１を補正すると、補正後のγ特性は基準γ特性γＲとなる。また、ユーザの視角が右３０°の場合の補正用γ特性をＣＲ２とし、この補正用γ特性ＣＲ２により図４に示すγ特性γＲ２を補正すると、補正後のγ特性は基準γ特性γＲとなる。
【００４３】
同様に、左視角の場合、ユーザの視角が左１５°の場合の補正用γ特性をＣＬ１とし、この補正用γ特性ＣＬ１により図４に示すγ特性γＬ１を補正すると、補正後のγ特性は基準γ特性γＲとなる。また、ユーザの視角が左３０°の場合の補正用γ特性をＣＬ２とし、この補正用γ特性ＣＬ２により図４に示すγ特性γＬ２を補正すると、補正後のγ特性は基準γ特性γＲとなる。
【００４４】
図６は、図１に示す視角適応γ補正回路における液晶パネルの表示位置に対するγ特性の補正例を説明するための特性図である。図６の縦軸はγ値を示し、横軸は液晶パネル６の水平方向の表示位置を示している。図６に示すように、ユーザの視角が０°（正面）の場合、基準γ値γｆは、表示位置によって変化せず、液晶パネル６の左端から右端まで一定の基準値に設定される。一方、左視角及び右視角の場合、補正用γ値γＣは、表示位置に応じて左側から右側へ増加し、液晶パネル６の左端が最も小さくなり、右端が最も大きくなる。なお、補正用γ値の傾きは、視角の大きさに応じて変化する。
【００４５】
上記の各補正により、視角適応γ補正回路３において、γ特性情報に応じて補正用γ特性が決定され、液晶パネル６に対するユーザの視角に最適なγ特性が選択された後、γ値情報に応じて補正用γ値が決定され、液晶パネル６の各表示位置に対するユーザの視角に最適なγ特性に変更され、このγ特性を用いて映像信号ＩＳに対してγ補正処理が実行される。
【００４６】
このように、本実施形態では、液晶パネル６に対するユーザの水平方向の視角と、液晶パネル６の水平方向における映像信号の表示位置とに応じてγ特性を変化させているので、液晶パネル６の水平方向におけるユーザの視角に適した映像信号を用いて画像を表示することができ、液晶パネル６内において水平方向の視角依存性を改善することができる。
【００４７】
次に、液晶パネル６として左右対称な視角特性を有するＰＶＡ（Patterned Vertical Alignment）液晶パネルを用いた場合の視角適応γ補正回路３におけるγ補正処理について説明する。一般に、ＰＶＡ液晶パネルは、大画面表示装置に用いられ、液晶パネルの水平方向の視角依存性が発生しやすく、本発明によるγ補正処理による視角依存性の改善効果が顕著となる。
【００４８】
図７は、ＰＶＡ液晶パネルにおいて視角が変化した場合におけるγ特性の変化例を説明するための特性図である。図７に示すように、ＰＶＡ液晶パネルを用いた場合、ユーザの視角が０°（正面）の場合のγ特性をγｆとすると、ユーザの視角が左１５°又は右１５°の場合のγ特性はγＳ１となり、ユーザの視角が左３０°又は右３０°の場合のγ特性はγＳ２となり、ユーザの視角が左４５°又は右４５°の場合のγ特性はγＳ３となり、左視角及び右視角ともに、視角が大きくなるほどγ値が小さくなる。
【００４９】
図８は、ＰＶＡ液晶パネルを用いた場合の視角適応γ補正回路におけるユーザの視角変化に対するγ特性の補正例を説明するための特性図である。図８に示すγ特性は、視角適応γ補正回路３の入出力特性を示しており、ユーザの視角が０°（正面）の場合を基準γ特性とし、この基準γ特性をγＲとする。ここで、ユーザの視角が左１５°又は右１５°の場合の補正用γ特性をＣ１とし、この補正用γ特性Ｃ１により図７に示すγ特性γＳ１を補正すると、補正後のγ特性は基準γ特性γＲとなる。ユーザの視角が左３０°又は右３０°の場合の補正用γ特性をＣ２とし、この補正用γ特性Ｃ２により図７に示すγ特性γＳ２を補正すると、補正後のγ特性は基準γ特性γＲとなる。ユーザの視角が左４５°又は右４５°の場合の補正用γ特性をＣ３とし、この補正用γ特性Ｃ３により図７に示すγ特性γＳ３を補正すると、補正後のγ特性は基準γ特性γＲとなる。
【００５０】
図９は、ＰＶＡ液晶パネルを用いた場合の視角適応γ補正回路における表示位置に対するγ特性の補正例を説明するための特性図である。図９の縦軸はγ値を示し、横軸はＰＶＡ液晶パネルの水平方向の表示位置を示している。図９に示すように、ユーザの視角が０°（正面）の場合、基準γ値γｆは、表示位置によって変化せず、液晶パネル６の左端から右端まで一定の基準値に設定される。左視角の場合、補正用γ値γＬは、表示位置に応じて左側から右側へ増加し、ＰＶＡ液晶パネルの左端が最も小さくなり、右端が最も大きくなる。一方、右視角の場合、補正用γ値γＲは、表示位置に応じて右側から左側へ増加し、ＰＶＡ液晶パネルの右端が最も小さくなり、左端が最も大きくなる。なお、各補正用γ値の傾きは、視角の大きさに応じて変化する。
【００５１】
上記の各補正により、ＰＶＡ液晶パネルを用いた場合でも、視角適応γ補正回路３において、γ特性情報に応じて補正用γ特性が決定され、ＰＶＡ液晶パネルに対するユーザの視角に最適なγ特性が選択された後、γ値情報に応じて補正用γ値が決定され、ＰＶＡ液晶パネルの各表示位置に対するユーザの視角に最適なγ特性に変更され、このγ特性を用いて映像信号ＩＳに対してγ補正処理が実行される。
【００５２】
このように、ＰＶＡ液晶パネルに対するユーザの水平方向の視角と、ＰＶＡ液晶パネルの水平方向における映像信号の表示位置とに応じてγ特性を変化させているので、ＰＶＡ液晶パネルの水平方向におけるユーザの視角に適した映像信号を用いて画像を表示することができ、大画面のＰＶＡ液晶パネル内において水平方向の視角依存性を改善することができる。
【００５３】
次に、本発明の第２実施形態による液晶表示装置について説明する。図１０は、本発明の第２実施形態による液晶表示装置の構成を示すブロック図である。図１０に示す液晶表示装置と図１に示す液晶表示装置とで異なる点は、垂直画素カウンタ７が付加され、視角適応制御回路２及び視角適応γ補正回路３が視角適応制御回路２ａ及び視角適応γ補正回路３ａに変更された点である。その他の点は図１に示す液晶表示装置と同様であるので、同一部分には同一符号を付して詳細な説明を省略する。
【００５４】
視角適応制御回路２ａには液晶パネル６の中心に位置する画素に対するユーザの水平方向視角を表す水平視角情報ＡＨ及び垂直方向視角を表す垂直視角情報ＡＶが入力され、垂直画素カウンタ７には映像信号ＩＳの垂直同期信号ＶＳが入力される。
【００５５】
垂直画素カウンタ７は、垂直同期信号ＶＳを基準に液晶パネル６の垂直方向（表示画面の上下方向）における映像信号ＩＳの画素位置を特定し、この画素位置を表す垂直位置情報ＶＰを視角適応制御回路２ａへ出力する。
【００５６】
視角適応制御回路２ａは、水平視角情報ＡＨ、垂直視角情報ＡＶ、水平位置情報ＨＰ及び垂直位置情報ＶＰを基に、視角適応γ補正回路３ａのγ特性を映像信号ＩＳの液晶パネル６上の表示位置に対するユーザの三次元空間内の視角に最適なγ特性に補正するためのγ制御情報ＧＤを視角適応γ補正回路３ａへ出力する。
【００５７】
具体的には、視角適応制御回路２ａには、液晶パネル６の中心に位置する画素に対する三次元空間内の各視角に対応付けてγ特性情報がテーブル形式で予め記憶されるとともに、液晶パネル６の中心に位置する画素に対する三次元空間内の各視角及び液晶パネル６の表示平面上における各表示位置に対応付けてγ値情報がテーブル形式で予め記憶されている。
【００５８】
ここで、γ特性情報は、液晶パネル６の中心位置に対するユーザの三次元空間内の視角に最適な補正用γ特性を決定するための情報であり、水平視角情報ＡＨ及び垂直視角情報ＡＶから生成され、例えば、γ特性自体、予め記憶されている複数のγ特性の中から所定のγ特性を識別するための識別情報等が該当する。また、γ値情報は、特定された補正用γ特性を映像信号ＩＳの液晶パネル６上の各表示位置に最適なγ特性に補正する補正用γ値を特定するための情報であり、水平視角情報ＡＨ、垂直視角情報ＡＶ、水平位置情報ＨＰ及び垂直位置情報ＶＰから生成され、例えば、γ値自体、予め記憶されている複数のγ値の中から所定のγ値を識別するための識別情報等が該当する。本実施の形態では、γ特性情報及びγ値情報からγ制御情報ＧＤが構成される。
【００５９】
視角適応制御回路２ａは、水平視角情報ＡＨ及び垂直視角情報ＡＶから液晶パネル６の中心位置に対するユーザの三次元空間内の視角を特定し、この視角に最適な補正用γ特性を特定するためのγ特性情報をγ制御情報ＧＤとして視角適応γ補正回路３ａへ出力するとともに、水平視角情報ＡＨ、垂直視角情報ＡＶ、水平位置情報ＨＰ及び垂直位置情報ＶＰを基に、特定された補正用γ特性を映像信号ＩＳの液晶パネル６の表示平面上における各表示位置に最適なγ特性に補正する補正用γ値を特定するためのγ値情報をγ制御情報ＧＤとして視角適応γ補正回路３ａへ出力する。
【００６０】
視角適応γ補正回路３ａは、γ特性情報に応じて補正用γ特性を決定し、この補正用γ特性をγ値情報に応じて補正し、補正後のγ特性を用いて映像信号ＩＳに対するγ補正処理を実行し、γ補正された映像信号をγ変換回路４へ出力し、以降の各ブロックの動作は、第１実施形態と同様である。
【００６１】
本実施形態では、水平画素カウンタ１、垂直画素カウンタ７、視角適応制御回路２ａ及び視角適応γ補正回路３ａが補正手段の一例に相当し、視角適応γ補正回路３ａがγ補正手段の一例に相当し、視角適応制御回路２ａがγ制御手段の一例に相当し、その他は第１実施形態と同様である。
【００６２】
上記の処理により、本実施形態では、液晶パネル６に対するユーザの三次元空間内の視角と、液晶パネル６の表示画面上における映像信号の二次元的な表示位置とに応じてγ特性を変化させているので、γ特性を三次元的にパラボラ状に変化させることができ、水平方向におけるユーザの視角のみならず、斜め方向におけるユーザの視角にも適した映像信号を用いて画像を表示することができ、液晶パネル６内において二次元的に視角依存性を改善することができる。
【００６３】
次に、本発明の第３実施形態による液晶表示装置について説明する。図１１は、本発明の第３実施形態による液晶表示装置の構成を示すブロック図である。図１１に示す液晶表示装置と図１に示す液晶表示装置とで異なる点は、視角適応制御回路２及び視角適応γ補正回路３が視角適応制御回路２ｂ及び視角適応γ補正回路３ｂに変更された点である。その他の点は図１に示す液晶表示装置と同様であるので、同一部分には同一符号を付して詳細な説明を省略する。
【００６４】
視角適応制御回路２ｂには、液晶パネル６の中心に位置する画素に対するユーザの水平方向の視角を表す水平視角情報ＡＨ及び映像信号ＩＳの垂直同期信号ＶＳが入力される。視角適応γ補正回路３ｂは、γ１補正回路３１、γ２補正回路３２及び選択回路３３を含む。γ１補正回路３１及びγ２補正回路３２にはＲ、Ｇ、Ｂの各色成分に分離された映像信号ＩＳがそれぞれ入力され、選択回路３３は、γ１補正回路３１及びγ２補正回路３２の出力のうちの一方を選択的に出力する。
【００６５】
視角適応制御回路２ｂは、垂直同期信号ＶＳ、水平視角情報ＡＨ及び水平位置情報ＨＰを基に、視角適応γ補正回路３ｂのγ１補正回路３１の第１γ特性及びγ２補正回路３２の第２γ特性を映像信号ＩＳの液晶パネル６上の表示位置に対する水平方向のユーザの視角に最適な第１γ特性及び第２γ特性に補正し且つ第１γ特性及び第２γ特性を時間的及び／又は空間的に切り替えることにより当該視角における視野角を拡大するためのγ制御情報ＧＤを視角適応γ補正回路３ｂへ出力する。
【００６６】
具体的には、視角適応制御回路２ｂには、液晶パネル６の中心に位置する画素に対する水平平面上の各視角に対応付けて第１γ特性情報及び第２γ特性情報がテーブル形式で予め記憶されるとともに、液晶パネル６の中心に位置する画素に対する各視角及び液晶パネル６の表示平面上における各表示位置に対応付けて第１γ値情報及び第２γ値情報がテーブル形式で予め記憶されている。
【００６７】
ここで、第１γ特性情報は、ユーザの液晶パネル６の中心位置に対する視角に最適な補正用第１γ特性を決定するための情報であり、第２γ特性情報は、ユーザの液晶パネル６の中心位置に対する視角に最適な補正用第２γ特性を決定するための情報であり、水平視角情報ＡＨからそれぞれ生成され、例えば、γ特性自体、予め記憶されている複数のγ特性の中から所定のγ特性を識別するための識別情報等が該当する。また、第１γ値情報は、特定された補正用第１γ特性を映像信号ＩＳの液晶パネル６上の各表示位置に最適なγ特性に補正する補正用第１γ値を特定するための情報であり、第２γ値情報は、特定された補正用第２γ特性を映像信号ＩＳの液晶パネル６上の各表示位置に最適なγ特性に補正する補正用第２γ値を特定するための情報であり、水平視角情報ＡＨ及び水平位置情報ＨＰからそれぞれ生成され、例えば、γ値自体、予め記憶されている複数のγ値の中から所定のγ値を識別するための識別情報等が該当する。
【００６８】
視角適応制御回路２ｂは、水平視角情報ＡＨを基に、ユーザの液晶パネル６の中心位置に対する視角に最適な補正用第１及び第２γ特性を特定するための第１及び第２γ特性情報をγ制御情報ＧＤとして視角適応γ補正回路３ｂへ出力するとともに、水平視角情報ＡＨ及び水平位置情報ＨＰを基に、特定された補正用第１及び第２γ特性を映像信号ＩＳの液晶パネル６上の各表示位置に最適なγ特性に補正する補正用第１及び第２γ値を特定するための第１及び第２γ値情報をγ制御情報ＧＤとして視角適応γ補正回路３ｂへ出力する。さらに、視角適応制御回路２ｂは、補正用第１及び第２γ特性を液晶パネル６の表示画面上において市松模様状に切り替えるとともに２フレーム毎に切り替えるための切り替え制御信号をγ制御情報ＧＤとして視角適応γ補正回路３ｂへ出力する。
【００６９】
ここで、切り替え制御信号は、補正用第１及び第２γ特性を液晶パネル６の表示画面上において市松模様状に切り替えるとともに２フレーム毎に切り替えるための情報を含み、本実施の形態では、第１及び第２γ特性情報、第１及び第２γ値情報並びに切り替え制御信号からγ制御情報ＧＤが構成される。
【００７０】
γ１補正回路３１は、第１γ特性情報に応じて補正用第１γ特性を決定し、この補正用第１γ特性を第１γ値情報に応じて補正し、補正後のγ特性を用いて映像信号ＩＳに対するγ補正処理を実行し、γ補正された映像信号を選択回路３３へ出力する。γ２補正回路３２は、第２γ特性情報に応じて補正用第２γ特性を決定し、この補正用第２γ特性を第２γ値情報に応じて補正し、補正後のγ特性を用いて映像信号ＩＳに対するγ補正処理を実行し、γ補正された映像信号を選択回路３３へ出力する。選択回路３３は、切り替え制御信号に応じてγ１補正回路３１及びγ２補正回路３２の出力を切り替えてγ変換回路４へ出力し、以降の各ブロックの動作は、第１実施形態と同様である。
【００７１】
本実施形態では、水平画素カウンタ１、視角適応制御回路２ｂ及び視角適応γ補正回路３ｂが補正手段の一例に相当し、視角適応γ補正回路３ｂがγ補正手段の一例に相当し、視角適応制御回路２ｂがγ制御手段の一例に相当し、その他は第１実施形態と同様である。
【００７２】
図１２は、図１１に示す液晶パネルとしてＰＶＡ液晶パネルを用いた場合の視角適応γ補正回路におけるユーザの視角変化に対するγ特性の補正例を説明するための特性図である。図１２に示すγ特性は、視角適応γ補正回路３ｂの入出力特性を示しており、ユーザの視角が０°（正面）の場合を基準γ特性とし、この基準γ特性をγＲとする。ここで、ユーザの視角が左３０°又は右３０°の場合の補正用第１γ特性をγ１、補正用第２γ特性をγ２とし、補正用第１γ特性γ１と補正用第２γ特性γ２とを所定周期で切り替えると、合成後の補正用γ特性はＣ２となり、この補正用γ特性Ｃ２により図７に示すγ特性γＳ２を補正すると、補正後のγ特性は基準γ特性γＲとなる。なお、本実施形態でも、水平方向における映像信号ＩＳの各表示位置に対して各γ特性が最適になるように、第１γ値情報に応じて補正用第１γ特性を補正するとともに、第２γ値情報に応じて補正用第２γ特性を補正しているが、第１実施形態において図９を用いて説明した処理と同様であるので詳細な説明は省略する。
【００７３】
図１３は、図１１に示す選択回路による補正用第１γ特性γ１と補正用第２γ特性γ２との切り替えパターンの一例を示す模式図である。図１３に示すように、選択回路３３は、Ｒ画素、Ｇ画素及びＢ画素を１単位として補正用第１γ特性γ１と補正用第２γ特性γ２とを市松模様状に且つ２フレーム毎に切り替える。なお、図１３に示す「＋」及び「−」は液晶パネル６に印加される電圧の極性を示しており、駆動回路５内の極性反転回路（図示省略）により１フレーム毎に極性が反転される。
【００７４】
ここで、補正用第１γ特性はユーザの視角が左１５°又は右１５°の場合に最適なγ特性であり、補正用第２γ特性はユーザの視角が左４５°又は右４５°の場合に最適なγ特性であり、これらのγ特性が上記のパターン制御により合成されることにより、ユーザの視角が左３０°又は右３０°の場合における視野角が拡大される。
【００７５】
このように、本実施形態では、第１実施形態と同様の効果を得ることができるとともに、補正用第１γ特性と補正用第２γ特性とを時空間的に交互に切り替えることにより補正用第１γ特性と補正用第２γ特性が合成され、補正用第１γ特性と補正用第２γ特性が対応付けられている視角に対する液晶パネル６の視野角を拡大することができるので、液晶パネル６の水平方向におけるユーザの視角に適した視角特性で且つ拡大された視野角で画像を表示することができ、液晶パネル６内において水平方向の視角依存性及び視野角特性を改善することができる。
【００７６】
なお、γ特性の切り替えパターンは、上記の例に特に限定されず、Ｒ画素、Ｇ画素及びＢ画素の画素毎に異なるγ特性を設定したり、１画素中のＲ画素及びＢ画素を同一のγ特性にしてＧ画素のみ異なるγ特性に設定する等の種々の変更が可能である。
【００７７】
次に、本発明の第４実施形態による液晶表示装置について説明する。図１４は、本発明の第４実施形態による液晶表示装置の構成を示すブロック図である。図１４に示す液晶表示装置と図１に示す液晶表示装置とで異なる点は、視角適応制御回路２が視角適応制御回路２ｃに変更された点である。その他の点は図１に示す液晶表示装置と同様であるので、同一部分には同一符号を付して詳細な説明を省略する。
【００７８】
図１４に示す液晶表示装置では、液晶パネル６の表示画面が左右に２分割され、液晶パネル６の左側表示画面を主に第１ユーザが視聴し、右側表示画面を主に第２ユーザが視聴する。視角適応γ補正回路３には、左側表示画面に第１画像を表示し、右側表示画面に第２の画像を表示するための映像信号ＩＳが入力され、視角適応制御回路２ｃには、液晶パネル６の左側表示画面の中心に位置する画素に対する第１ユーザの水平方向の視角を表す第１水平視角情報ＡＬが入力され、右側表示画面の中心に位置する画素に対する第２ユーザの水平方向の視角を表す第２水平視角情報ＡＲが入力される。なお、第１及び第２水平視角情報ＡＬ，ＡＲは、本実施形態において好ましい視角がそれぞれ予め設定され、所定のメモリ等から読み出される情報であり、各ユーザがリモートコントローラ（図示省略）等により微調整可能に構成されている。
【００７９】
視角適応制御回路２ｃは、第１水平視角情報ＡＬ及び水平位置情報ＨＰを基に、視角適応γ補正回路３のγ特性を映像信号ＩＳの左側表示画面上の表示位置に対する第１ユーザの水平方向の視角に最適なγ特性に補正するためのγ制御情報ＧＤを視角適応γ補正回路３へ出力するとともに、第２水平視角情報ＡＲ及び水平位置情報ＨＰを基に、視角適応γ補正回路３のγ特性を映像信号ＩＳの右側表示画面上の表示位置に対する第２ユーザの水平方向の視角に最適なγ特性に補正するためのγ制御情報ＧＤを視角適応γ補正回路３へ出力する。
【００８０】
ここで、γ制御情報ＧＤは、左側表示画面用のγ特性情報及びγ値情報並びに右側表示画面用のγ特性情報及びγ値情報から構成される。左側表示画面用のγ特性情報は、液晶パネル６の左側表示画面の中心位置に対する第１ユーザの視角に最適な補正用γ特性を決定するための情報であり、第１水平視角情報ＡＬから生成され、例えば、γ特性自体、予め記憶されている複数のγ特性の中から所定のγ特性を識別するための識別情報等が該当する。左側表示画面用のγ値情報は、特定された左側表示画面用の補正用γ特性を映像信号ＩＳの左側表示画面上の各表示位置に最適なγ特性に補正する補正用γ値を特定するための情報であり、第１水平視角情報ＡＬ及び水平位置情報ＨＰから生成され、例えば、γ値自体、予め記憶されている複数のγ値の中から所定のγ値を識別するための識別情報等が該当する。
【００８１】
また、右側表示画面用のγ特性情報は、液晶パネル６の右側表示画面の中心位置に対する第２ユーザの視角に最適な補正用γ特性を決定するための情報であり、第２水平視角情報ＡＲから生成され、例えば、γ特性自体、予め記憶されている複数のγ特性の中から所定のγ特性を識別するための識別情報等が該当する。右側表示画面用のγ値情報は、特定された右側表示画面用の補正用γ特性を映像信号ＩＳの右側表示画面上の各表示位置に最適なγ特性に補正する補正用γ値を特定するための情報であり、第２水平視角情報ＡＲ及び水平位置情報ＨＰから生成され、例えば、γ値自体、予め記憶されている複数のγ値の中から所定のγ値を識別するための識別情報等が該当する。
【００８２】
視角適応γ補正回路３は、左側表示画面用のγ特性情報に応じて補正用γ特性を決定し、この補正用γ特性を左側表示画面用のγ値情報に応じて補正し、補正後のγ特性を用いて左側表示画面用の映像信号ＩＳに対するγ補正処理を実行するとともに、右側表示画面用のγ特性情報に応じて補正用γ特性を決定し、この補正用γ特性を右側表示画面用のγ値情報に応じて補正し、補正後のγ特性を用いて右側表示画面用の映像信号ＩＳに対するγ補正処理を実行し、γ補正された左側及び右側表示画面用の映像信号をγ変換回路４へ出力する。
【００８３】
γ変換回路４は、γ補正された左側及び右側表示画面用の映像信号に対して通常の画質調整を行うためのγ変換処理を実行し、γ変換された左側及び右側表示画面用の映像信号を駆動回路５へ出力する。駆動回路５は、γ変換された左側及び右側表示画面用の映像信号を用いて液晶パネル６を駆動し、左側表示画面用の画像を液晶パネル６の左側表示画面に表示するとともに、右側表示画面用の画像を液晶パネル６の右側表示画面に表示する。
【００８４】
本実施形態では、水平画素カウンタ１、視角適応制御回路２ｃ及び視角適応γ補正回路３が補正手段の一例に相当し、視角適応制御回路２ｃがγ制御手段の一例に相当し、その他は第１実施形態と同様である。
【００８５】
次に、視角適応γ補正回路３における２画面のγ補正処理について詳細に説明する。図１５は、図１４に示す液晶表示装置の使用状態の一例を説明するための模式図である。図１５に示す例は、カーナビゲーション用液晶表示装置の例であり、液晶パネル６の表示領域が左右に２分割され、左側表示画面である第１表示領域Ｒ１にテレビ放送画像を表示して第１ユーザである助手席の搭乗者ＮＰがテレビ放送画像を視聴し、右側表示画面である第２表示領域Ｒ２にカーナビゲーション用送画像を表示して第２ユーザである運転者ＤＰがカーナビゲーション用送画像を視聴する。この場合、第１表示領域Ｒ１の中心に位置する画素に対する搭乗者ＮＰの視角はαＬであり、左視角αＬを表す第１水平視角情報ＡＬが視角適応制御回路２ｃに入力され、一方、第２表示領域Ｒ２の中心に位置する画素に対する運転者ＤＰの視角はαＲであり、右視角αＲを表す第２水平視角情報ＡＲが視角適応制御回路２ｃに入力される。
【００８６】
視角適応制御回路２ｃには、第１表示領域Ｒ１の中心に位置する画素に対する水平平面上の各視角に対応付けてγ特性情報がテーブル形式で予め記憶されるとともに、第１表示領域Ｒ１の中心に位置する画素に対する各視角及び第１表示領域Ｒ１の水平方向における各表示位置に対応付けてγ値情報がテーブル形式で予め記憶され、第２表示領域Ｒ２に対するγ特性情報及びγ値情報も同様にテーブル形式で予め記憶されている。
【００８７】
視角適応制御回路２ｃは、水平走査期間の前半において、第１水平視角情報ＡＬを基に、第１表示領域Ｒ１の中心位置に対する第１ユーザの視角に最適な補正用γ特性を特定するためのγ特性情報をγ制御情報ＧＤとして視角適応γ補正回路３へ出力するとともに、第１水平視角情報ＡＬ及び水平位置情報ＨＰを基に、特定された補正用γ特性を映像信号ＩＳの第１表示領域Ｒ１上の各表示位置に最適なγ特性に補正する補正用γ値を特定するためのγ値情報をγ制御情報ＧＤとして視角適応γ補正回路３へ出力する。このとき、視角適応γ補正回路３は、γ特性情報に応じて補正用γ特性を決定し、この補正用γ特性をγ値情報に応じて補正し、補正後のγ特性を用いて第１表示領域Ｒ１の映像信号ＩＳに対するγ補正処理を実行し、γ補正された映像信号をγ変換回路４へ出力する。
【００８８】
また、視角適応制御回路２ｃは、水平走査期間の後半において、第２水平視角情報ＡＲを基に、第２表示領域Ｒ２の中心位置に対する第２ユーザの視角に最適な補正用γ特性を特定するためのγ特性情報をγ制御情報ＧＤとして視角適応γ補正回路３へ出力するとともに、第２水平視角情報ＡＲ及び水平位置情報ＨＰを基に、特定された補正用γ特性を映像信号ＩＳの第２表示領域Ｒ２上の各表示位置に最適なγ特性に補正する補正用γ値を特定するためのγ値情報をγ制御情報ＧＤとして視角適応γ補正回路３へ出力する。このとき、視角適応γ補正回路３は、γ特性情報に応じて補正用γ特性を決定し、この補正用γ特性をγ値情報に応じて補正し、補正後のγ特性を用いて第２表示領域Ｒ２の映像信号ＩＳに対するγ補正処理を実行し、γ補正された映像信号をγ変換回路４へ出力する。
【００８９】
上記の補正により、視角適応γ補正回路３において、第１表示領域Ｒ１のγ特性情報に応じて補正用γ特性が決定され、第１表示領域Ｒ１に対する第１ユーザの視角に最適なγ特性が選択された後、第１表示領域Ｒ１のγ値情報に応じて補正用γ値が決定され、第１表示領域Ｒ１の各表示位置に対する第１ユーザの視角に最適なγ特性に変更され、このγ特性を用いて第１表示領域Ｒ１の映像信号ＩＳに対してγ補正処理が実行されるとともに、第２表示領域Ｒ２のγ特性情報に応じて補正用γ特性が決定され、第２表示領域Ｒ２に対する第２ユーザの視角に最適なγ特性が選択された後、第２表示領域Ｒ２のγ値情報に応じて補正用γ値が決定され、第２表示領域Ｒ２の各表示位置に対する第２ユーザの視角に最適なγ特性に変更され、このγ特性を用いて第２表示領域Ｒ２の映像信号ＩＳに対してγ補正処理が実行される。
【００９０】
このように、本実施形態では、液晶パネル６の第１表示領域Ｒ１に対する第１ユーザの水平方向の視角と、第１表示領域Ｒ１の水平方向における映像信号の表示位置とに応じてγ特性を変化させているので、第１表示領域Ｒ１の水平方向における第１ユーザの視角に適した映像信号を用いて画像を表示することができるとともに、第２表示領域Ｒ２に対する第２ユーザの水平方向の視角と、第２表示領域Ｒ２の水平方向における映像信号の表示位置とに応じてγ特性を変化させているので、第２表示領域Ｒ２の水平方向における第２ユーザの視角に適した映像信号を用いて画像を表示することができ、複数のユーザの異なる視角に対してそれぞれ最適な視角特性で画像を表示することができる。
【００９１】
なお、本実施形態では、液晶パネル６を左右に２分割したが、分割数及び各画像の表示位置等はこの例に特に限定されず、３分割以上に分割したり、親画面の中に子画面を表示したり、複数のウインドウ画面を重ねて表示する等の種々の変更が可能である。
【００９２】
また、上記の各実施形態は任意に組み合わせることができ、この場合も各実施形態の効果を同様に奏することができる。
【産業上の利用可能性】
【００９３】
本発明に係るマトリックス型表示装置は、表示パネル内の任意の方向における視角依存性を改善することができ、マトリックス状に配置された複数の画素を駆動して画像を表示するマトリックス型表示装置等として有用である。
【図面の簡単な説明】
【００９４】
【図１】本発明の第１実施形態による液晶表示装置の構成を示すブロック図である。
【図２】液晶パネルの表示位置によるユーザの視角変化を説明するための模式図である。
【図３】図１に示す液晶パネルの各視角方向におけるＶＴ特性の一例を示す特性図である。
【図４】図１に示す液晶パネルにおいて視角が変化した場合におけるγ特性の変化例を説明するための特性図である。
【図５】図１に示す視角適応γ補正回路におけるユーザの視角変化に対するγ特性の補正例を説明するための特性図である。
【図６】図１に示す視角適応γ補正回路における液晶パネルの表示位置に対するγ特性の補正例を説明するための特性図である。
【図７】ＰＶＡ液晶パネルにおいて視角が変化した場合におけるγ特性の変化例を説明するための特性図である。
【図８】ＰＶＡ液晶パネルを用いた場合の視角適応γ補正回路におけるユーザの視角変化に対するγ特性の補正例を説明するための特性図である。
【図９】ＰＶＡ液晶パネルを用いた場合の視角適応γ補正回路における表示位置に対するγ特性の補正例を説明するための特性図である。
【図１０】本発明の第２実施形態による液晶表示装置の構成を示すブロック図である。
【図１１】本発明の第３実施形態による液晶表示装置の構成を示すブロック図である。
【図１２】図１１に示す液晶パネルとしてＰＶＡ液晶パネルを用いた場合の視角適応γ補正回路におけるユーザの視角変化に対するγ特性の補正例を説明するための特性図である。
【図１３】図１１に示す選択回路による補正用第１γ特性γ１と補正用第２γ特性γ２との切り替えパターンの一例を示す模式図である。
【図１４】本発明の第４実施形態による液晶表示装置の構成を示すブロック図である。
【図１５】図１４に示す液晶表示装置の使用状態の一例を説明するための模式図である。
【符号の説明】
【００９５】
１  水平画素カウンタ
２，２ａ〜２ｃ  視角適応制御回路
３，３ａ，３ｂ  視角適応γ補正回路
４  γ変換回路
５  駆動回路
６  液晶パネル
７  垂直画素カウンタ
３１  γ１補正回路
３２  γ２補正回路
３３  選択回路
【図１】
2005092075.tif 000003
【図２】
2005092075.tif 000004
【図３】
2005092075.tif 000005
【図４】
2005092075.tif 000006
【図５】
2005092075.tif 000007
【図６】
2005092075.tif 000008
【図７】
2005092075.tif 000009
【図８】
2005092075.tif 000010
【図９】
2005092075.tif 000011
【図１０】
2005092075.tif 000012
【図１１】
2005092075.tif 000013
【図１２】
2005092075.tif 000014
【図１３】
2005092075.tif 000015
【図１４】
2005092075.tif 000016
【図１５】
2005092075.tif 000017